(57)【要約】【課題】  ポータブルコンピュータの支持装置の提供。【解決手段】  ベースにベースに対して回転させ起こすことのできる支持アームが設けられ、支持アームに無段回転軸機構が設けられ、該無段回転軸機構に支持ブロックが組み付けられ、ポータブルコンピュータが支持ブロックの上に置かれる。異なる身長の使用者がポータブルコンピュータを使用する時、身長によりポータブルコンピュータの角度を調整でき、即ちポータブルコンピュータを無段回転軸機構で支持アームに対して回転させ、並びに無段方式で使用者の視覚に符合する角度に回転させることで、スクリーンの反射の問題を回避でき、異なる使用要求に符合し使用上の便利性を増す目的を達成する。【選択図】        図３
2005196724.tif 000002
【特許請求の範囲】
【請求項１】
ポータブルコンピュータを支持するのに用いられるポータブルコンピュータの支持装置であり、該ポータブルコンピュータの背面に支持部が形成され、該支持装置は、ベース、支持アーム、支持片、無段回転軸機構、支持ブロックを具え、
該ベースはその上表面後端部分に第１枢設構造が設けられ、並びにその僅かに前方に第２枢設構造が設けられ、
該支持アームは下端に第１枢設端が設けられ、上端に固定部が設けられ、第１枢設端がベースの第１枢設構造に枢設されて、支持アームが第１枢設端を回転軸としてベースに対して回転し起こされ得るものとされ、
該支持片は下端と上端を具え、該下端はベースの第２枢設構造に枢設され、並びに支持片は第２枢設構造を回転軸としてベースに対して回転し起こされ得て、且つ支持片の上端が支持アームを支持し、
該無段回転軸機構は基部と無段回転軸を具え、そのうち、基部は支持アーム上端の固定部に固定され、且つ無段回転軸は基部内に通され並びに基部に対して無段方式で回転し、  該支持ブロックは組み付け部を具え、この組み付け部は無段回転軸機構の無段回転軸に組み付けられ、また支持ブロックに別に結合部が設けられ、該結合部は上述のポータブルコンピュータの背面の支持部に組み付けられることを特徴とする、ポータブルコンピュータの支持装置。
【請求項２】
請求項１記載のポータブルコンピュータの支持装置において、支持アームに少なくとも一つの係合溝が凹設され、支持片の上端に該係合溝に対応する係合凸縁が設けられて係合溝に係合し、支持片の上端が支持アームを支持することを特徴とする、ポータブルコンピュータの支持装置。
【請求項３】
請求項１記載のポータブルコンピュータの支持装置において、支持アームの上端の固定部が凹部とされたことを特徴とする、ポータブルコンピュータの支持装置。
【請求項４】
請求項１記載のポータブルコンピュータの支持装置において、ポータブルコンピュータの背面の支持部が一対の左右の滑り溝とされ、且つ支持ブロックの結合部が該支持部の滑り溝に対応してスライド式に組み合わされる一対の左右のスライドレールとされたことを特徴とする、ポータブルコンピュータの支持装置。
【請求項５】
請求項４記載のポータブルコンピュータの支持装置において、一対の左右のスライドレールがＬ形断面を具備することを特徴とする、ポータブルコンピュータの支持装置。
【請求項６】
請求項１記載のポータブルコンピュータの支持装置において、ポータブルコンピュータがタブレットＰＣとされたことを特徴とする、ポータブルコンピュータの支持装置。
【発明の詳細な説明】
【技術分野】
【０００１】
本発明は一種のポータブルコンピュータの支持装置に係り、特に、ポータブルコンピュータを支持し並びにその使用角度を調整できる支持装置に関する。
【背景技術】
【０００２】
一般にポータブルコンピュータ、例えばタブレットＰＣは立てて使用されるが、それは往々にして支持装置が組み合わされてその支持が補助され、使用時の便利性が高められる。
【０００３】
しかし、周知の支持装置はポータブルコンピュータを立てるのに用いられるだけであり、ポータブルコンピュータの使用角度を調整することはできず、異なる身長の使用者が使用する時、ポータブルコンピュータの角度を調整できないために使用者の視覚角度が制限され、ポータブルコンピュータの角度が高過ぎたり或いは低過ぎたりする問題、或いはスクリーンの反射等の問題を形成し、このため使用上の不都合をもたらした。
【発明の開示】
【発明が解決しようとする課題】
【０００４】
本発明は一種のポータブルコンピュータの支持装置を提供することを目的とし、それは、使用者の身長に合わせてタブレットＰＣの角度を調整でき、これにより異なる使用要求に符合して使用上の便利性を高めることができる装置であるものとする。
【課題を解決するための手段】
【０００５】
請求項１の発明は、ポータブルコンピュータを支持するのに用いられるポータブルコンピュータの支持装置であり、該ポータブルコンピュータの背面に支持部が形成され、該支持装置は、ベース、支持アーム、支持片、無段回転軸機構、支持ブロックを具え、
該ベースはその上表面後端部分に第１枢設構造が設けられ、並びにその僅かに前方に第２枢設構造が設けられ、
該支持アームは下端に第１枢設端が設けられ、上端に固定部が設けられ、第１枢設端がベースの第１枢設構造に枢設されて、支持アームが第１枢設端を回転軸としてベースに対して回転し起こされ得るものとされ、
該支持片は下端と上端を具え、該下端はベースの第２枢設構造に枢設され、並びに支持片は第２枢設構造を回転軸としてベースに対して回転し起こされ得て、且つ支持片の上端が支持アームを支持し、
該無段回転軸機構は基部と無段回転軸を具え、そのうち、基部は支持アーム上端の固定部に固定され、且つ無段回転軸は基部内に通され並びに基部に対して無段方式で回転し、  該支持ブロックは組み付け部を具え、この組み付け部は無段回転軸機構の無段回転軸に組み付けられ、また支持ブロックに別に結合部が設けられ、該結合部は上述のポータブルコンピュータの背面の支持部に組み付けられることを特徴とする、ポータブルコンピュータの支持装置としている。
請求項２の発明は、請求項１記載のポータブルコンピュータの支持装置において、支持アームに少なくとも一つの係合溝が凹設され、支持片の上端に該係合溝に対応する係合凸縁が設けられて係合溝に係合し、支持片の上端が支持アームを支持することを特徴とする、ポータブルコンピュータの支持装置としている。
請求項３の発明は、請求項１記載のポータブルコンピュータの支持装置において、支持アームの上端の固定部が凹部とされたことを特徴とする、ポータブルコンピュータの支持装置としている。
請求項４の発明は、請求項１記載のポータブルコンピュータの支持装置において、ポータブルコンピュータの背面の支持部が一対の左右の滑り溝とされ、且つ支持ブロックの結合部が該支持部の滑り溝に対応してスライド式に組み合わされる一対の左右のスライドレールとされたことを特徴とする、ポータブルコンピュータの支持装置としている。
請求項５の発明は、請求項４記載のポータブルコンピュータの支持装置において、一対の左右のスライドレールがＬ形断面を具備することを特徴とする、ポータブルコンピュータの支持装置としている。
請求項６の発明は、請求項１記載のポータブルコンピュータの支持装置において、ポータブルコンピュータがタブレットＰＣとされたことを特徴とする、ポータブルコンピュータの支持装置としている。
【発明の効果】
【０００６】
本発明によると、身長の異なる使用者がポータブルコンピュータを使用する時、その身長に応じてポータブルコンピュータの角度を調整でき、即ち、ポータブルコンピュータを支持アームの上に置く時、ポータブルコンピュータを無段回転軸機構により支持アームに対して回転させ、並びに無段方式で使用者の視覚角度に符合する角度に回転させることにより、スクリーン反射の問題を回避し、異なる使用要求に符合して使用上の便利性を高める目的を達成する。
【発明を実施するための最良の形態】
【０００７】
本発明のポータブルコンピュータの支持装置はポータブルコンピュータを支持するのに用いられ、ポータブルコンピュータの背面には支持部が形成されている。支持装置は、ベース、支持アーム、支持片、無段回転軸機構及び支持ブロックを具えている。
【０００８】
該ベースはその上表面後端部分に第１枢設構造が設けられ、並びにその前方に第２枢設構造が設けられ、支持アームの下端に第１枢設端が設けられ、上端に固定部が設けられ、第１枢設端はベースの第１枢設構造に枢設されて、支持アームが第１枢設端を回転軸としてベースに対して回転し起こされることができる。
【０００９】
このほか、支持片は下端と上端を具え、該下端はベースの第２枢設構造に枢設され、並びに支持片は第２枢設構造を回転軸としてベースに対して回転し起こされ得て、且つ支持片の上端が支持アームを支持する。
【００１０】
また、無段回転軸機構は基部と無段回転軸を具え、そのうち、基部は上述の支持アーム上端の固定部に固定され、且つ無段回転軸は基部内に通され並びに基部に対して無段方式で回転し、支持ブロックは組み付け部を具え、この組み付け部は無段回転軸機構の無段回転軸に組み付けられ、また支持ブロックに別に結合部が設けられ、該結合部は上述のポータブルコンピュータの背面の支持部に組み付けられ、これによりポータブルコンピュータが無段回転軸機構により支持アームに対して無段方式で回転可能とされる。
【実施例１】
【００１１】
図１は本発明の実施状態表示図である。ポータブルコンピュータ６は本実施例ではタブレットＰＣとされ、それはベース１の上に置かれこのベース１に収容溝１３が形成され、且つキーボードセット７がこの収容溝１３内に収容されて入力装置とされる。
【００１２】
図２は本発明のポータブルコンピュータの支持装置に未設置の状態の表示図である。図３は本発明の立体分解図である。ポータブルコンピュータ６の背面には一対をなす左右の滑り溝を具えた支持部６１が形成され、且つ支持構造は上述のベース１のほか、更に支持アーム２、支持片５、無段回転軸機構３及び支持ブロック４を具えている。
【００１３】
上述のベース１はその上表面１０後端部分に第１枢設構造１１が設けられ、並びにその僅かに前方に第２枢設構造１２が設けられ、且つ第２枢設構造１２は第１枢設構造１１に平行で且つ近隣の位置に設けられ、支持アーム２の下端に第１枢設端２１とされ、上端に凹部状を呈する固定部２２が設けられ、且つ第１枢設端２１は上述のベース１の第１枢設構造１１に枢設されて、支持アーム２が第１枢設端２１を回転軸としてベース１に対して回転し起こされ得る。また支持アーム２に別に二つの平行な係合溝２３が凹設されている。
【００１４】
このほか、支持片５は下端５１と上端５２を具え、該下端５１はベース１の第２枢設構造１２に枢設され、並びに支持片５は第２枢設構造１２を回転軸としてベース１に対して回転し起こされ得て、且つ支持片５の上端５２に係合凸縁５２１が設けられて、それは支持アーム２の係合溝２３に対応してそれと係合し、支持アーム２と支持片５が回転し起こされる時、係合凸縁５２１と係合溝２３の相互係合により支持片５の上端５２が支持アーム２を支持する。
【００１５】
また、無段回転軸機構３は基部３１と無段回転軸３２を具え、そのうち、基部３１は上述の支持アーム２上端の固定部２２内に固定され、且つ無段回転軸３２は基部３１内に通され並びに基部３１に対して無段方式で回転する。支持ブロック４は組み付け部４１と結合部４２を具え、そのうち、組み付け部４１は無段回転軸機構３の無段回転軸３２に組み付けられ、結合部４２は一対の、それぞれＬ形断面を有する左右のスライドレールとされ、それはポータブルコンピュータ６の背面の支持部６１の左右の滑り溝内にスライド式に組み合わされる。これにより、ポータブルコンピュータ６が無段回転軸機構３により支持アーム２に対して無段方式で回転する。前述の結合部４２の左右のスライドレールはＬ形断面を有するが、それは同じ方向に配置されるか或いは反対方向に設置可能で、またＴ形断面等の異なる形状のものとされうる。
【００１６】
本発明を使用するとき、先ずポータブルコンピュータ６を支持アーム２の上に置き、且つ無段回転軸機構３を回してポータブルコンピュータ６の視覚の角度を調整し、これによりポータブルコンピュータ６を異なる身長の使用者が使用する時に、使用者の身長に応じてポータブルコンピュータ６の角度を調整でき、即ち、ポータブルコンピュータ６を支持アーム２の上に置く時、ポータブルコンピュータ６を無段回転軸機構３で支持アーム２に対して回転させ、並びに無段方式で視覚の角度に符合するよう回転させることで、スクリーンの反射等の問題を回避でき、異なる使用要求に符合し使用上の便利性を増す目的を達成できる。
【００１７】
図４は本発明の使用後の収納動作表示図である。図５は収納完成後の表示図である。使用者が使用完了した後、まずポータブルコンピュータ６を取り出し、並びに支持片５と支持アーム２を図に示される矢印の方向に回転させて、それをベース１の上に折り畳み、またキーボードセット７を直接ベース１の収容溝１３内に収容し、こうして図５に示される収納状態を完成できる。
【００１８】
以上は本発明の実施例の説明に過ぎず、本発明の請求範囲を限定するものではなく、本発明に基づきなしうる細部の修飾或いは改変は、いずれも本発明の請求範囲に属するものとする。
【図面の簡単な説明】
【００１９】
【図１】本発明の実施状態表示図である。
【図２】本発明のポータブルコンピュータの支持装置に未設置の状態の表示図である。
【図３】本発明の立体分解図である。
【図４】本発明の使用後の収納動作表示図である。
【図５】本発明の収納完成後の表示図である。
【符号の説明】
【００２０】
１  ベース        １０  上表面      １１  第１枢設構造
１２  第２枢設構造  １３  収容溝    ２  支持アーム
２１  第１枢設端    ２２  固定部    ２３  係合溝
３  無段回転軸機構  ３１  基部      ３２  無段回転軸
４  支持ブロック    ４１  組み付け部  ４２  結合部
５  支持片          ５１  下端        ５２  上端
５２１  係合凸縁    ６  ポータブルコンピュータ        ６１  支持部
７  キーボードセット
【図１】
2005196724.tif 000003
【図２】
2005196724.tif 000004
【図３】
2005196724.tif 000005
【図４】
2005196724.tif 000006
【図５】
2005196724.tif 000007